(57)【特許請求の範囲】
【請求項１】
複数の入力部と、複数の出力部と、
入力部に結合され、同じ出力部を宛先とするセルを、その出力部に割り当てられた波長を有する光搬送波上へ変調するための変調手段と、
変調手段により変調されたセルをそれらが到着するかぎり記憶し、それらを１つずつ出力部に供給するための集中バッファ・メモリ（１８９、．．．、１９０）とを含み、前記集中バッファ・メモリが、各セル時間の０、１．．．、Ｑ−１倍の遅延を有し、前記入力部と前記出力部の間に配設された、Ｑ個の光経路を含み、
各セルを出力部へスイッチングし、バッファ・メモリ内で各セルに与えられる遅延を選択し、セルが１つずつ出力部へ到達するようにする手段を有する制御手段（２０１）を有する光子スイッチング・マトリックスであって、更に、
複数の追加出力部と、これらの追加出力部に結合され且つ複数の再循環入力部に結合された再循環遅延素子（１０４）を有し、この遅延素子は、各セルに、可変数のセル時間に対応する制御可能な遅延を与えるようになされ、制御手段（２０１）は、
各セルが出力部へ直接スイッチ可能な場合には各セルを意図された出力部へスイッチングし、セルが意図された出力部へ直接スイッチ可能ではない場合にはこのセルを追加出力部へスイッチングし、かつ、
バッファ・メモリがオーバーロードする危険なしにこのセルをバッファ・メモリへ再び導入するように、前記再循環遅延素子内で、各セルに与えられるべき遅延を選択する手段を有する、ことを特徴とする光子スイッチング・マトリックス。
【請求項２】
前記再循環遅延素子（１０４）は、全ての追加出力部に対して１つのみのスイッチ可能な遅延素子と、前記複数の追加出力部を結合し、異なる搬送波上へ変調されたセルを、異なる搬送波上でこれらのセルを選択的に遅延させる前記遅延素子の入力へ供給する１つの光マルチプレクサと、を有する、ことを特徴とする、請求項１に記載の光子スイッチング・マトリックス。
【請求項３】
前記各追加出力部と前記遅延素子（１０４）の間で、制御可能波長変換装置（ｃｆ１、．．．、ｃｆｋ）により、セルの搬送波の波長を選択的に変え、前記遅延素子によって遅延可能なセル数を波長多重化により増加させることを特徴とする、請求項２に記載の光子スイッチング・マトリックス。
【請求項４】
前記制御可能遅延素子の出力が、波長分離後、複数の追加入力部に結合されることを特徴とする、請求項２または３に記載の光子スイッチング・マトリックス。
【請求項５】
前記制御可能遅延素子の出力が、波長分離後、前記変調手段の入力側の複数の入力部に結合されることを特徴とする、請求項２または３に記載の光子スイッチング・マトリックス。
【請求項６】
空間スイッチング・マトリックスが、分離後の前記遅延素子の出力と前記複数の入力部との間に挿入されることを特徴とする、請求項５に記載の光子スイッチング・マトリックス。
【発明の詳細な説明】
【０００１】
【発明の属する技術分野】
本発明は、非同期時間多重化技術によりセル列を形成するように多重化された、固定長（すなわち継続時間）セルを構成するデジタル光信号の形のデータの切り換えを可能にする、光子スイッチング・マトリックスに関する。
【０００２】
【従来の技術】
このようなスイッチング・マトリックスの入力部に達する入力セル列は、スイッチング情報を搬送し、各々がある文字数から構成される（たとえば、８ビット５３文字のセルを採用するＡＴＭ規格がある）連続するセルを含む。これらセルの各々は、スイッチング・マトリックス内のセルを、セルが出力セル列内で位置を占める１つ（または複数）の出力部に送るために使用可能な送信指示を含む。セル列のうちのいくつかのセルは全くスイッチング情報を含まずサービス情報のみを含む。このようなセルを一般的に空セルと呼ぶ。空セルは容易に識別することができる。空セルは送る必要がない。反対に、出力部を介して送信する情報搬送セルがない場合は必ず、出力部のレベルにおいて出力セル列内にそのようなセルを挿入する。
【０００３】
マトリックスは、複数の入力部と複数の出力部とを含む。複数の入力部のセルを、同一の出力部にスイッチングすることがある。したがって複数のセルが一体となって同一の出力部に宛てられることがある。このため競合の問題が生じる。この問題は、バッファ・メモリを使用する既知の方法により解決する。バッファ・メモリを宛先の出力部が各セルを受信できるまで各セルを記憶するように、入力部に配置すること、各セルが出力セル列に挿入される状態になるまで各セルを記憶するように、出力部に配置すること、あるいは入力部から供給されたセルが提示される時それを記憶し、そのセルを１つずつ出力部に送るため、集中的に配置することが可能である。
【０００４】
本発明は、集中バッファ・メモリを具備したこの最新の種類のスイッチング・マトリックスに関する。その実例については、フランス特許ＦＲ−２６７２１７２号を参照されたい。
【０００５】
この既知のマトリックス内では、同一の出力部を宛先とするセルは、その出力部に割り当てられた波長を有する光搬送波上で変調される。セルは入力部と出力部との間を移動する際に、各セル時間の０、１．．．Ｑ−１倍の遅延を有するＱ個の光経路の１つに向けられる。セル時間とは、あるセルを出力部に送信するのに必要な時間、またはセルが出力セル列内で占める時間をいう。このようにして同遅延光経路によりバッファ・メモリが形成され、時間軸に等間隔で配置したセルを同一の出力部に送ることが可能となる。異なる出力部を宛先とするセルは異なる搬送波長をもつので、時間軸に等間隔で配置したセルを出力部の全てに送るために、波長多重化により、これら遅延光経路を共同使用することが可能である。
【０００６】
【発明が解決しようとする課題】
このような配置のスイッチング・マトリックスでは、前記出願に記載されているように、構造的制限がある。すなわち、同一の出力部を宛先とするセルの突然の流入により、セル時間のＱ−１倍の遅延を有する経路内にセルをすでに投入し、同時に追加セルを当該の出力部に送らなければならない場合、このセルはなくなってしまい、そのためスイッチング・マトリックスの性能に関して、入力部に対する許容平均データレートが制限をうける。
【０００７】
本発明は、このような事態の確率を減らしマトリックスの１入力部あたりの許容平均データレートを著しく向上することを目的とする措置に関する。
【０００８】
さらに、米国特許４，８６６，７０１号から、スイッチング・マトリックスのいくつかの出力が、前記に説明したセルと同価のパケットであって、同時に他のパケットを受け取る出力部に送ることができず、再循環経路によって送られ、セル時間に等しい一定時間の遅延であってその後はパケットがスイッチング・マトリックスにより再度出力宛先に送られる遅延の後、マトリックスの入力部に再投入されるパケットを受け取るようにする方法が知られている。この方法が再度不可能な場合には、当該パケットは再循環経路に送り返される。
【０００９】
したがってこのような措置により、スイッチング・マトリックスによって送ることのできないセルがなくなるのを防止することができる。そのような措置は、特性および問題が本発明の対象となる光子スイッチング・マトリックスとは異なるＢａｔｃｈｅｒ／Ｂａｎｙａｎ型網に応用にされる。
【００１０】
このような解決方法を本発明の対象となる光子スイッチング・マトリックスに単純に移植しても、再循環サイクルあたりの遅延時間が長くなるだけである。これは、本発明で取り組む問題に対処できない。
【００１１】
事実、トラフィックの計算では、ある損失率について、入力部１６点および出力部１６点のマトリックスにおいて入力部１組あたりの平均伝送速度を０．５トラフィック単位であるとする場合に発生する競合の問題により、セル時間の０から１５倍の遅延が必要であるとすると、同一の損失率で、入力部あたり０．８トラフィック単位の平均伝送速度に達するには、セル時間の５０倍までの遅延が必要となることがある。前記の第１の特許によれば、その場合５０個の遅延回路を設けなければならないので、非常に費用がかかり、５０個の遅延回路に同一の入力部のセルを分配する際にも、同一の出力部にセルを送信するため５０個の遅延回路のいずれか１つを通過したセルをまとめる際にも技術的な問題が生じる。前記第２の特許に記載の再循環方法の場合、セルあたり５０−１６＝３４再循環サイクルが必要となり、同再循環サイクルの制御については負荷が必然的に重くなり、再循環経路数がきわめて大きくなる。なぜなら、各経路はセル時間中、１つのセルしか含まないからである。
【００１２】
本発明は複雑さおよびコストが一定限度である制御および送信手段以外には必要とせず、同じ損失率をもち、マトリックスの入力部あたりの平均伝送速度を顕著に向上させることの可能な、この問題に対し将来的にも有効な解決方法を提供する。
【００１３】
【課題を解決するための手段】
したがって本発明は、複数の入力部と、複数の出力部と、入力部によって供給されるセルが提示された時そのセルを記憶し、１つずつ出力部に供給するための集中バッファ・メモリと、入力部に結合され、同一の出力部を宛先とするセルを出力部に割り当てられた波長と同一の波長をもつ光搬送波上で変調するための変調手段とを含み、前記集中バッファ・メモリが、各セル時間の０、１．．．、Ｑ−１倍の遅延を有し、前記入力部と前記出力部の間に配設された、Ｑ個の光経路を含みその結果セルが、入力部と出力部との間の経路において、１つずつ同一の出力部に到達するように、１つずつ前記遅延経路のうちのいずれか１つに向けられる、光子スイッチング・マトリックスに関する。
【００１４】
本発明によれば、このような光子マトリックスはさらに、その出力をいわゆる再循環入力部に結合できる制御可能遅延素子にそれぞれが通じている複数の追加出力部を含む。
【００１５】
したがって本発明により、各再循環経路内に制御可能な遅延を投入すること、ならびにある再循環経路を通るあらゆるセルを、その宛先の出力部に向けるため前記再循環経路に出されるまで必要なセル時間分だけ遅延することが可能である。前記第２の特許と比較して、唯１つの再循環コマンドが必要であるだけという点と再循環経路数が著しく少ないという点で勝っている。
【００１６】
好ましくは、前記切り換え可能な遅延素子が唯一であり、光マルチプレクサが前記複数の追加出力部を結合し、前記複数の追加出力部が、異なる搬送波上で変調されたセルを、これらの異なる搬送波のセルを選択的に遅延する遅延素子の入力部に供給する。
【００１７】
このような遅延素子はたとえば、「Proceedings of the European Conference on Optical Communications」、１９９４年、第２巻、８２１〜８２４ページのＧ．Ｂｅｎｄｅｌｌｉらの「An ATM photonic switching module: dimensional and architectural analysis」という論文に記載されている。
【００１８】
さらに、前記各追加出力部と前記制御可能遅延素子の間の制御可能波長変換装置により、セルの搬送波の波長を選択的に変え、波長多重化によって、前記遅延素子によって遅延され得るセルの数を追加させることが可能である。
【００１９】
ある実施の形態においては、前記制御可能遅延素子の出力は、波長分離後、複数の追加入力部に結合される。
【００２０】
しかしながら好ましくは前記制御可能遅延素子の出力は、波長分離後、前記変調手段の上流側の複数の入力部に結合される。
【００２１】
これにより、再循環経路からのセルに空セルの役割を与えて、該セルを通常の入力部上で認識することができる。その場合、変調手段が適当な波長変換を行う。
【００２２】
好ましくは、空間スイッチング・マトリックスが、分離後の前記遅延素子の出力と前記複数の入力部との間に挿入される。
【００２３】
これにより、再循環経路からのセルを受け入れるための種々の入力部のセル列内に含まれる空セルを有効活用することが可能となることがある。
【００２４】
本発明の種々の目的と特徴は、添付の図面を参照して行う本発明の実施の形態を読めばより明らかになろう。
【００２５】
【発明の実施の形態】
図１は、本出願の冒頭で引用した第１の特許の図２に示されている光子スイッチング・マトリックスによる光子スイッチング・マトリックス１を示す図であり、理解を容易にするため、可能な限り同一の参照番号を残した。
【００２６】
該スイッチング・マトリックス１の主要な構成素子は、セルスイッチング・マトリックス２とセル再循環装置３である。
【００２７】
セルスイッチング・マトリックス２は、Ｎ個の光入力部ｅ１〜ｅＮを含むが、そのうちの１つだけを図示する。該入力部は、先頭の文字が伝送指示を含むヘッダを構成する固定長（または継続時間）セルの伝送媒体である。ある入力部の各セルは、第１出力２６６が、セル内、特にそのヘッダ内に電気的状態で含まれている情報を制御装置２０１にもたらす光学検出装置１５１への接近を許可する光カプラ１６６を横断する。カプラ１６６のもう１つ別の出力２６７は、光ファイバのループの形態で実現することができ、セルの伝播時間がセル伝送継続時間である遅延素子１６７に接続される。該時間により、制御装置２０１に、セルのヘッダを送る前に該ヘッダを処理する時間、すなわちスイッチング・マトリックス内でセルを送るのに貢献する種々の制御信号を準備する時間が与えられる。この時間が終了するとセルは、電気リンク２６３により制御装置２０１が制御する波長変換装置１８３に到達する。想定セルが出力部Ｓ１に伝送されるようになっていると仮定すると、波長変換装置１８３は、セル内に含まれている情報により、該出力部Ｓ１に結合された波長λ１の搬送波を変調する。するとセルは光拡散体１８５に到達し、該拡散体は自己が出力として含むのと同じ数のセル数を生成する。この各出力の後には、リンク２６９を介して制御装置２０１によって制御される光ポート２７０．．．、２７Ｑが続く。同時に出力Ｓ１の方向に切り換えられるセルが全くないと仮定すると、ポート２７０のみが通過可能で、他のポートは全て閉鎖されている。該ポート２７０を通過するセルの例は光結合器１８７に達し、該結合器の後には、実質的に遅延時間がない遅延回路１８９が続く。したがってセルのサンプルはやがて、その後に拡散体１９３が続く結合器１９１に到達する。次にこのサンプルは、１９４などのフィルタに分散される。フィルタ１９４のみが、出力部Ｓ１への通路をもたらす。
【００２８】
当該セルがＳ１ではなく出力部ＳＮを宛先とする場合、制御装置はヘッダを介してそれを知り、変換装置１８３を波長λＮに調整する。その結果、フィルタ１９５は該波長を透過し出力部ＳＮに到達するようにする。
【００２９】
別の入力部からのセルは、各セルがそれぞれ異なる出力部を宛先とする限り、同じ方法で同時に送られる。
【００３０】
出力部Ｓ１宛ての当該セルが今回唯一ではなく、別の優位なセルが前記に説明したように出力部Ｓ１に直接送られる場合、制御装置は、ポート２７０を通過可能にする代わりに、図示されていない遅延路１８９と同様の遅延路に通じ、セル時間（あるセルから出力部への伝送時間）に等しい遅延をもたらす、同じく図示されていない同様の光ポート２７１を通過可能にする。したがって該セルは結合器１９１に到達し、１セル時間後、そこから出力部Ｓ１に到達し、該セルより優位なセルの後に伝送される。
【００３１】
やはり出力部Ｓ１に宛てられた当該セルが、該セルより優位に立つ２つの別のセルを伴う場合、当該セルは、別のポート（図示せず）と遅延が２セル時間の遅延路とによって切り換えられ、最初の２つのセルの後に出力部Ｓ１に到達する。以下、出力部Ｓ１に向けられた同時に切り換えを行うその他のセルについては、同様である。
【００３２】
前記で想定したセル時間の次のセル時間においては、出力部Ｓ１を宛先とするセルは、２セル時間遅延路が空ではないため、該遅延路にも送られるが、これはスイッチング・マトリックスを通過するセルのタイミングに合わせるためである。
【００３３】
この次のセル時間においては、出力部Ｓ１を宛先とする別のセルは、３セル時間遅延路にも送らなければならず、以下同様である。
【００３４】
出力部Ｓ１が反復して宛先となると、入力セルは、図に示す最終遅延路１９０までセル時間が増加する遅延路によって順次送られることがわかる。
【００３５】
出力部Ｓ１を宛先とするセルについての前記の説明は、その他の出力部に関しても繰り返すことが可能であり、波長のみが変わる。遅延路、結合器、拡散体は波長を考慮していないので、スペクトル合成によりあらゆる波長に対し作動する。
【００３６】
ただし、バッファ・メモリ内で出力部Ｓ１を宛先とするセルの蓄積があったとしても、別の出力部について同時にこのような蓄積が発生する確率はほとんどなく、さらに、当該の出力部数が増加すれば、別の出力部についてその蓄積が発生する確率は急速に低くなる。
【００３７】
前記の説明は前記に引用した第１の特許に記載されているので、詳細については該特許を参照されたい。
【００３８】
本発明は、前記の説明に付加される措置であって、以下で説明する問題に対応する措置に関する。
【００３９】
出力部Ｓ１にセルが全て殺到すると最終的に遅延路１９０によってセルに宛先が決められる状態になることが解っている。そこで同時に、やはり出力部Ｓ１を宛先とするさらに１つのセルがある場合、先行特許では、もはや解決方法がなく、当該の最後のセルはなくなってしまうと記されている。
【００４０】
本発明は、これを防止するため、前記のような定数超過セルの宛先がどのようになるかを示した後、追加出力部ＳＮ＋１〜ＳＮ＋Ｋと、後述の再循環装置とを提供する。
【００４１】
これら出力部には搬送波長λＮ＋１〜λＮ＋Ｋが接続されている。前記に説明した方法が失敗した場合、これら追加出力への送信は、種々の待ち行列の占有状態を把握している制御装置２０１によって行われる宛先変更によって実行され、出力部ＳＮ＋１〜ＳＮ＋Ｋは必要に応じて次々に使用される。
【００４２】
再循環装置２は出力部ＳＮ＋１〜ＳＮ＋Ｋに結合され、制御装置２０１の制御下、必要な時間、追加出力部の異なる搬送波のセルが保存される制御可能遅延素子１０４にそのセルを送るため、セルをひとまとめにする光結合器を含む。時期が来ると、制御装置の制御下で、遅延素子１０４によりそのセルが出力リンク１３１〜１３Ｋに送られる。このリンクは、通常アクセスとみなされるスイッチング・マトリックス２の追加入力部ｅｓ１〜ｅｓｋに接続している。該入力部に送られるセルは、その前に通常アクセス上で受信されたセルである。これらセルの違いは搬送波長のみであるが、追加入力部上に送られるあらゆるセルの波長は、セルが再循環装置に転送された追加出力部に接続されていた波長である。したがってその波長は既知である。したがって、追加入力部は文字通り通常入力部として扱われる。しかしながら制御装置２０１は、追加入力部によってスイッチング・マトリックスに到達するセルに対し、通常の入力部によって到達するセルが優先されるようにする。したがって、前記に記載のように通常の形で送られるセルに引き続いて送られるセルが第１となる。優先度のない第２のセルは再循環の対象となり、したがって第１のセルの後に送られることになる。このことは、同一の入力部から同一の出力部へのセルのタイミングを維持するのに必要である。
【００４３】
全体としては、制御装置がこのようにして、第１セルの宛先となる出力部によって直接に送ることのできない第１セルの切り換えを行う。この切り換えはＱ−１セル時間の遅延を含むことができるので、同一の出力部を宛先とするセルの時間軸での順序を維持するためには、再循環装置がセルを１セル時間だけ遅延させるだけでよい。このセルは追加出力部のうちの１つを占有する。同一の出力部に宛てられた同時に存在する別のセルは、別の追加出力部を占有する。これら別のセルは、次第に値が増加する遅延をうけるので、切り換え装置のバッファ・メモリにセルを過大にロードする危険なく、セルを１つずつ再投入することができる。常に同じ宛先の別のセルが、その後に続き、やはり再循環装置に保存される。
【００４４】
遅延素子内にセルを保存するために追加出力部と追加波長とを必要とする、別の単数または複数の出力部を宛先とするセルについては、場合によっては、同一の時間内に同一の方法が適用されることもある。再循環に必要な波長数は必要な追加出力部数よりも多いが、追加波長はどのようにして利用可能になるかについては本文の最後で説明する。
【００４５】
当然のことながら前記説明は一例に過ぎない。というのも、セルのスイッチング・マトリックスのバッファ・メモリおよび再循環装置のバッファ・メモリで同時にもたらされる遅延を利用してより複雑な方法を実施することが可能であることが明白であるからである。
【００４６】
遅延素子１０４の実施態様は図１に概略図があり、２×２カプラと、１０８および１０９などの１組の制御可能光フィルタと、光ファイバ１１０のループ内に配設された光増幅器１０７とを含む。波長マルチプレクサ１０３の出力は２×２カプラの１つの入力部に接続され、光増幅器１０７の出力は該カプラのもう１つの入力部に接続されている。該カプラの２つの出力のうちの１つは１組のフィルタに接続され、もう１つの出力は、遅延素子１０４の出力部に作用する光デマルチプレクサ１１１に接続されている。
【００４７】
このような装置は、前記に引用したＢｅｎｄｅｌｌｉらの論文に記載されている。制御装置２０１は、各フィルタに作用して、１回転あたり１セル時間の遅延を行って、光ファイバループ内を回っていた対応する波長のセルの消去を決定する。同時に、制御装置は、該セルを受け取る入力部の周波数変換器に作用して、セルの宛先となる出力までのスイッチング・マトリックスによるセルの経路を決定する。
【００４８】
本発明の第２の実施の形態を図２に示す。セルのスイッチング・マトリックス２’は、通常入力ｅ１およびｅＮはどちらも図示されているが、追加入力ｅｓ１〜ｅｓＫがないという点と、追加的に再循環カプラｃｓ１〜ｃｓＮを含む点を除いては、セルのスイッチング・マトリックス２と同様である。再循環がない場合はこれらカプラは作動しない。図２のセルのスイッチング・マトリックスの他の素子は全て、図１のセルのスイッチング・マトリックスの対応する素子と同一であり、同じ役割を果たすので、同一の参照番号が付してある。再循環がない場合のマトリックスの作動は、図１についての説明と同一であるので、再度説明することはしない。再循環路へ向けての定数超過セルの送信も、前記と同様の方法で行われる。
【００４９】
また、再循環装置３’は、多重リンク１４１を介して制御装置２０１により直接制御される空間スイッチング・マトリックス１４０をさらに含む点を除いては、図１の再循環装置３と同様であり、同一の素子は同一の機能を有し同一の参照番号で示してある。該空間スイッチング・マトリックスにより、常時、制御装置２０１の制御下、前記再循環カプラを介して、遅延素子１０４のＫ個の出力部１３１〜１３Ｋのいずれか１つを、セルのスイッチング・マトリックス２’のＮ個の入力部のいずれか１つに接続することが可能である。
【００５０】
図１のスイッチング・マトリックスに対する図２のスイッチング・マトリックスの機能上の差異は、遅延素子１０４内に格納され制御装置２０１の制御下で解放されるセルを、制御装置２０１が検出すると、空セルの代わりに前記各セルがそれぞれ、入力セル列のいずれか１つに挿入されるということである。この時、波長変換装置１８３、１８４は、λＮ＋１〜λＮ＋Ｋの再循環セルの波長と当該出力に関連する波長との間の変換を行うコマンドを受け取る。空セルの伝送速度が需要に対し実用上十分である限りにおいては、セルの経路決定の可能性および性能における結果は、図１のスイッチング・マトリックスの場合と同じであり、トラフィックの計算でもこれが証明されている。追加入力を節約することができるので、空間スイッチング・マトリックス１４０の光カプラ１８７、１８８の価格に関する技術的制約を解消することが可能である。
【００５１】
実際、別の変形例においては、単純に、再循環装置のＫ個の出力部を、セルのスイッチング・マトリックスのＮ個の入力部のうちのＫ個に結合させることができる。
【００５２】
留意すべきは、いずれの場合も、入力トラフィックが充分な数の空セルを含む時、異なる出力部を宛先とするセルが同時に発信されることがあるということである。
【００５３】
また、図示した２つの実施例においては、追加出力部ｓＮ＋１〜ｓＮ＋Ｋ間と光結合器１０３（セルのスイッチング・マトリックス２、２’または再循環装置３、３’の中にある）との中間に置かれ、図示しないリンクを介して制御装置２０１によって直接制御される追加の波長変換器ｃｆ１〜ｃｆＫを示した。この追加波長変換器により、各再循環路において利用可能周波数を増倍することができ、その結果、再循環装置によって許容されるセルを増倍することができる。このようにして、変換器ｃｆ１は、波長λＮ＋１の出力ＳＮ＋１について、λＮ＋１の波長を選択的に、λＮ＋１、λＮ＋１＋Ｋ、λＮ＋１＋２Ｋ．．．λＮ＋１＋ＭＫに変換する。他の入口も同様であり、すなわち遅延素子１０４に格納され得るセル数をＭ＋１倍することである。遅延素子１０４の出力部には対称形変換器を配置することも、さらにより簡単には、変換器１８３、１８４がその機能を果たすことも可能である。
【００５４】
前記の説明は非限定的な例として示したものであって、特に数値は各応用例毎に変わり得ることは明らかである。
【図面の簡単な説明】
【図１】再循環経路がスイッチング・マトリックスの追加入力部に接続されている、本発明の第１の実施の形態を示す図である。
【図２】再循環経路が通常の入力部に１／３結合されている、本発明の第２の実施の形態を示す図である。
【符号の説明】
１  スイッチング・マトリックス
２  ラルスイッチング・マトリックス
３  セル再循環装置
ｅ１，ｅＮ  光入力部
Ｓ１，ＳＮ  出力部
１８３，１８４  変調手段
１８９，１９０  光経路
【図１】
0003947241.tif 000002
【図２】
0003947241.tif 000003